(57)【要約】【課題】  前面扉が閉じられた際、マグネットと当たり部材（マグネットキャッチ）との間の吸着力によって前面扉を保持する画像形成装置において、吸着力の調整を容易に行うことができるようにする。【解決手段】  画像形成装置筐体の前面側には、その一端辺側を回動支点として前面扉１１が取り付けられており、前面扉には一端辺側と対向する他端辺側にマグネットが装着され、画像形成装置筐体には前面扉を閉じた際、マグネットと対向する位置にマグネットと当接する当たり面２３ａが規定された当たり部材２３が備えられている。ガイド部材２２、長穴２７、及びネジ（軸部材）はマグネットに対して当たり部材を相対的に移動可能に案内しており、レバー部材２４を操作すると、当たり部材がガイド部材及び長穴に沿って移動して当たり面とマグネットとの当接面積が変化する。【選択図】  図５
2006017768.tif 000002
【特許請求の範囲】
【請求項１】
画像形成装置筐体の一側面側に配置され、その一端辺側を回動支点として前記画像形成装置筐体に取り付けられた扉を有し、該扉には前記一端辺側と対向する他端辺側にマグネットが装着されており、前記画像形成装置筐体には前記扉を閉じた際前記マグネットと対向する位置に該マグネットと当接する当たり面が規定された当たり部材が備えられた画像形成装置において、
前記当たり部材を前記マグネットに対して相対的に移動可能に案内する案内機構と、
前記当たり部材を前記案内機構に沿って移動させて前記当たり面と前記マグネットとの当接面積を変化させる操作部とを有することを特徴とする画像形成装置。
【請求項２】
前記案内機構は、前記当たり部材に形成され前記他端辺側から前記一端辺側に延びる長穴と、該長穴を通して前記画像形成装置筐体に取り付けられた軸部材と、前記当たり部材の一端側を支持して前記他端辺側から前記一端辺側に延びるガイド部材とを有し、前記当たり部材は前記長穴で規定される範囲で前記マグネットに対して相対的に移動可能であることを特徴とする請求項１記載の画像形成装置。
【請求項３】
前記操作部はその一端が前記当たり部材に連結され、他端が前記画像形成筐体の上面から突出するレバー部材であることを特徴とする請求項１又は２記載の画像形成装置。
【請求項４】
前記操作部は前記当たり部材に形成され前記他端辺側から前記一端辺側に延びるラックと、該ラックと噛み合うギア機構と、該ギア機構を回動させるダイヤル部材とを有することを特徴とする請求項１又は２記載の画像形成装置。
【請求項５】
前記ダイヤル部材の周面の一部が前記画像形成装置筐体の上面から突出していることを特徴とする請求項４記載の画像形成装置。
【発明の詳細な説明】
【技術分野】
【０００１】
本発明は、複写機、プリンター、又はファクシミリ装置等の画像形成装置に関し、特に、画像形成装置本体の一側面に形成された開閉扉の開閉力を調整するための調整機構に関するものである。
【背景技術】
【０００２】
一般に、複写機等の画像形成装置においては、その一側面（例えば、前面側）に開閉扉（前面扉）が備えられ、用紙詰まり処理、トナー補給、又はメンテナンスの際、前面扉を開いて、画像形成装置内部を露出できるようになっている。そして、前面扉を閉じた際には、前面扉の内面側に固定されたマグネットが、画像形成装置本体に設けられた金属ステーの当り面（マグネットキャッチ部）に当接し、マグネットの吸着力（磁力）によって前面扉を閉じた状態に保持するようにしている。
【０００３】
ところで、上述のようにマグネットの吸着力によって前面扉を閉じた状態に保持しようとした際、マグネットと当り面との間における吸着力が大きいと、前面扉を開く際、ユーザ等は強く前面扉を引かなければならず、操作性が極めて悪くなってしまう。一方、マグネットと当り面との間における吸着力が小さいと、僅かな力が作用しただけで、前面扉が開いてしまう。例えば、ユーザ等が前面扉を閉じる際、前面扉を強く閉じると、その反動で前面扉が閉じた状態とならないことがある。そして、前面扉が閉じた状態とならないと、安全スイッチがオンして、画像形成装置を稼動させることができなくなってしまう。
【０００４】
このような不具合に対処するため、例えば、マグネットキャッチのステーへの取り付け位置を調整するべく、マグネットキャッチに位置調整用の長穴及び回転止めを設けて、ステーに回転止めが嵌合する嵌合穴を形成し、マグネットキャッチをネジによってステーに取り付け、この際、ネジを緩めることによって、マグネットキャッチの取付位置を長穴に沿って調整して、マグネットキャッチとマグネットとの当接面積を変化させて、マグネットとマグネットキャッチとの間の吸着力を調整するようにしたものがある（特許文献１参照）。
【０００５】
【特許文献１】特開２００２−２７１０５２公報（第２頁〜第３頁、第１図〜第８図）
【発明の開示】
【発明が解決しようとする課題】
【０００６】
ところで、従来の画像形成装置においては、マグネットキャッチの取付位置を調整する際には、ネジを緩めてマグネットキャッチを長穴に沿って移動させてその取付位置を調整した後、再度ネジを締め、その後、実際に前面扉を開閉してその吸着力を確認するようにしており、確認の結果、吸着力が所望のとおりでないと、再度前面扉を開いてネジを緩めるという操作を行わなければならず、吸着力の調整が極めて面倒であるという課題がある。
【０００７】
さらに、従来の画像形成装置においては、製造過程において吸着力を予め調整するか又はサービスマンが吸着力を調整することを企図しており、サービスマン等がドライバー等を用いてでネジを緩めた後、マグネットキャッチを長穴に沿って移動させてその取付位置を調整した後、再度ネジを締めるという操作を行うことが容易であるとしても、ユーザ等が容易にマグネットとマグネットキャッチとの間の吸着力を調整するが難しいという課題がある。
【０００８】
従って、本発明はかかる従来技術の問題に鑑み、ユーザ等によっても極めて容易にマグネットとマグネットキャッチとの間の吸着力を調整することのできる画像形成装置を提供することを目的とする。
【課題を解決するための手段】
【０００９】
そこで、本発明はかかる課題を解決するために、画像形成装置筐体の一側面側に配置され、その一端辺側を回動支点として前記画像形成装置筐体に取り付けられた扉を有し、該扉には前記一端辺側と対向する他端辺側にマグネットが装着されており、前記画像形成装置筐体には前記扉を閉じた際前記マグネットと対向する位置に該マグネットと当接する当たり面が規定された当たり部材が備えられた画像形成装置において、前記当たり部材を前記マグネットに対して相対的に移動可能に案内する案内機構と、前記当たり部材を前記案内機構に沿って移動させて前記当たり面と前記マグネットとの当接面積を変化させる操作部とを有することを特徴とするとするものである。
【００１０】
本発明では、前記案内機構は前記当たり部材に形成され前記他端辺側から前記一端辺側に延びる長穴と、該長穴を通して前記画像形成装置筐体に取り付けられた軸部材と、前記当たり部材の一端側を支持して前記他端辺側から前記一端辺側に延びるガイド部材とを有し、前記当たり部材は前記長穴で規定される範囲で前記マグネットに対して相対的に移動可能である。
【００１１】
本発明では、前記操作部は、例えば、その一端が前記当たり部材に連結され、他端が前記画像形成筐体の上面から突出するレバー部材である。
【００１２】
また、本発明では、前記操作部は前記当たり部材に形成され前記他端辺側から前記一端辺側に延びるラックと、該ラックと噛み合うギア機構と、該ギア機構を回動させるダイヤル部材とを有するようにしてもよく、この際には、前記ダイヤル部材の周面の一部を、前記画像形成装置筐体の上面から突出させることが望ましい。
【発明の効果】
【００１３】
以上のように、本発明による画像形成装置は、案内機構によって当たり部材をマグネットに対して相対的に移動可能に案内して、操作部によって当たり部材を案内機構に沿って移動させると、当たり面とマグネットとの当接面積が変化するので、ユーザ等によって極めて容易にマグネットと当たり面との間の吸着力を調整することができるという効果がある。
【００１４】
本発明では、案内機構として当たり部材に形成され他端辺側から一端辺側に延びる長穴と、長穴を通して画像形成装置筐体に取り付けられた軸部材と、当たり部材の一端側を支持して他端辺側から一端辺側に延びるガイド部材とを用いるようにしたので、長穴によって当たり部材の移動範囲が規制され、当たり面とマグネットとの当接面が少なすぎて、十分な吸着力が得られなくなるという不都合を回避することができる。
【００１５】
本発明では、操作部を、その一端が当たり部材に連結され、他端が画像形成筐体の上面から突出するレバー部材としたので、レバー部材を操作すれば、扉を開くことなく容易に吸着力を調整することができるという効果がある。
【００１６】
本発明では、操作部を、当たり部材に形成され他端辺側から一端辺側に延びるラックと、このラックと噛み合うギア機構と、ギア機構を回動させるダイヤル部材と構成するようにして、ダイヤル部材の周面の一部を、画像形成装置筐体の上面から突出させるようにしたので、ダイヤル部材を回転操作させるだけで、極めて簡単に吸着力を調整することができるという効果がある。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１及び図２を参照して、図１は本発明の実施例１による画像形成装置である複写機の一部を一側面（例えば、前面）から示す図であり、図２は本発明の実施例１による画像形成装置である複写機の一部を他の側面側から示す図である。図１に示すように、複写機１０の前面側には前面扉１１が配置され、前面扉１１の一端辺側（図１において右端辺側）は蝶番（図示せず）等によって回転可能に支持されている。前面扉１１の下側には給紙カセット１２が配置され、この給紙カセット１２は図１において紙面の裏側から表側に向かって引き出し可能となっている。
【００１９】
図２に示すように、前面扉１１の一端辺側と対向する他端辺側（図１において左端辺側）には取手部１１ａが形成されており、この取手部１１ａを把持して、前面扉１１を実線矢印で示す方向に引くと、前面扉１１が蝶番回りに回動して前面扉１１が開かれて、複写機１０の内部が露出した状態となる。複写機１０の上面側には原稿押えカバー部１３が配置され、原稿押えカバー部１３よりも前面側には操作パネル１４が規定されている。
【００２０】
なお、図１において、丸印で示す部分において前面扉１１の裏側には、後述するように、前面扉１１を閉じた際、前面扉１１を複写機１０側に保持するマグネットが取り付けられており、図１において、その左端側には、複写機筐体２０の一部を構成するステー（図１には示さず）が上下方向に延びている。
【００２１】
図３及び図４を参照して、図３は複写機１０をその他側面側を一部破断して他側面側から示す図であり、図４は複写機１０を上面側を一部破断して上面側から示す図である。図３に示すように、複写機筐体２０は前述のステー（支持部）２１を有しており、このステーの上端側及び下端側にはそれぞれ金属製の当たり部材（マグネットキャッチ部）２３が配置され（図３においては上端側の当たり部材２３のみが示されている）、これら当たり部材２３の当たり面２３ａに対応して前面扉１１の裏面にはマグネット（図３には示さず）が配設されている。
【００２２】
このステー２１の上端側においては、図３において紙面の表側から裏側に延びるガイド部材２２が固定され、このガイド部材２２には紙面の表側から裏側に延びる溝部２２ａが形成されている。そして、金属製の当たり部材２３がその一端（上端）をネジ（軸部材）２３ｂによって後述するように、ステー２１に取り付けられ、当たり部材２３の他端（下端）は溝部２２ａに挿入されている。また、当たり部材２３にはピン部材２３ｃによってレバー部材（操作部）２４の一端（下端）が取り付けられ、レバー部材２４の他端（上端）側は複写機筐体２０の上面に形成された開口部（スリット：図示せず）側から突出している。
【００２３】
図４に示すように、前面扉１１の裏面には、前面扉１１を閉じた際、当たり部材２３の当たり面２３ａに対向する位置にマグネット支持部２５が形成され、このマグネット支持部２５にはマグネット（永久磁石）２６が装着されている（図４においては、上端側に位置するマグネット２６のみが示されている）。そして、前面扉１１を閉じた際には、マグネット２６が当たり部材２３の当たり面２３ａに当接し、マグネット２６と当たり面２３ａとの吸着力によって前面扉１１が閉じた状態に保持される。
【００２４】
図５を参照して、図５は複写機１０を前面扉１１を一部破断して前面側から示す図であり、前述したように、上端側に位置する当たり部材２３はガイド部材２２に支持されるとともに、ピン部材２３ｃによってレバー部材２４に連結されている。当たり部材２３には前面側に沿って延びる長穴２７が形成され、この長穴２７を通してネジ２３ｂが挿入され、ネジ２３ｂがステー２１にねじ込まれて、ネジ頭とステー２１との間で当たり部材２３が挟持される。
【００２５】
前述のピン部材２３ｃはネジ２３ｂよりも下側に位置しており、レバー部材２４にはその上端部近傍において、レバー部材２４の長手方向に延びる長穴２４ａが形成され、この長穴２４ａにピン部材２４ｂが挿入され、このピン部材２４ｂは複写機筐体２０に支持されている。従って、複写機筐体２０の上面から突出したレバー部材２４の上端を、図５に実線矢印で示す方向に操作すると、レバー部材２４はピン部材２４ｂに支持されつつ、長穴２４ａの範囲でピン部材２４ｂを支点として回動することになり、レバー部材２４に連結された当たり部材２３は図５に破線矢印で示す方向にガイド部材２２に案内されつつ、長穴２７の範囲で移動することになる。そして、当たり部材２３の移動に応じて、マグネット２６と当たり面２３ａとが当接する面積が変化することになる。
【００２６】
いま、レバー部材２４が、図５に破線で示す位置にある際に、マグネット２６と当たり面２３ａとが当接する面積が最大であるとして（この際には、長穴２４ａの上端がピン部材２４ｂに当接しており、長穴２７の左端がピン部材２３ｃに当接している）、レバー部材２４を引き上げる方向に操作すると、レバー部材２４の操作につれて、当たり部材２３がガイド部材２２に図５において右方向に移動し、マグネット２６と当たり面２３ａとが当接する面積が徐々に減少する。
【００２７】
そして、長穴２４ａの下端がピン部材２４ｂに当接するまで、レバー部材２４を引き上げると、長穴２７の右端がピン部材２３ｃに当接した状態となって、マグネット２６と当たり面２３ａとが当接する面積が最小となる。マグネット２６と当たり面２３ａとが当接する面積が最小となった状態が図４に符号Ａ１で示されており、符号Ａ１では、符号Ａ２で示すマグネット２６と当たり面２３ａとが当接する面積が最大となった状態に比べて、その面積が略半分となる。
【００２８】
上述のようにして、レバー部材２４を操作するだけで、当たり面２３ａとマグネット２６とが当接する面積が変化する結果、当たり面２３ａとマグネット２６との間の吸着力を変化させることができ、ユーザ等はレバー部材２４を操作しつつ、当たり面２３ａとマグネット２６との間の吸着力を確認するようにすればよく（実際の前面扉１１を開いてみる）、容易に吸着力を調整することができる。
【００２９】
なお、図４に示すように、操作パネル１４には液晶パネル１４ａ、各種操作ボタン１４ｂ、及び液晶パネル１４ａの明度を調整するための明度調整ダイヤル１４ｃ等が備えられている。また、前述のガイド部材２２、ネジ２３ｂ、及び長穴２７が案内機構として機能する。
【００３０】
ところで、図６に示すように、長穴２７の底辺に所定の間隔で、凹溝２７ａを形成しておけば、ネジ２３ｂのネジ軸体が凹溝２７ａに落ち込むから、レバー部材２４を操作して吸着力を調整する際、ネジ軸体が凹溝２７ａに落ち込んだ位置にレバー部材２４を保持することができ、その結果、ネジ２３ｂの締め付けが緩んでも、レバー部材２４を操作するまで、当たり部材２３が移動してしまうことはない。
【実施例２】
【００３１】
図７〜図９を参照して、本発明の実施例２による画像形成装置について説明する。図７〜図９において図３〜図５に示す構成要素と同一の構成要素については同一の参照番号を付す。図７は複写機１０を上面側からみた図であり、図示のように、操作パネル１４の近傍にはダイヤル３１が配置されている。
【００３２】
図８は複写機１０をその他側面側を一部破断して他側面側から示す図であり、図８に示すように、当たり部材２３の上端には前側に延在する延在片２３ｄが形成されており、この延在片２３ｄは図８において紙面の表側から裏側に延びている。この延在片２３ｄ上にはラック３２が形成されており、このラック３２にステー２１に回転可能に支持されたギア３３が噛み合っている。
【００３３】
前述のダイヤル３１にはギア３４（ギア３３及び３４によってギア機構が構成される）が装着されており、ダイヤル３１はその軸３１ａによってステー２１に回転可能に支持されている。複写機筐体２０の上面には開口部３５が形成され、この開口部３５からダイヤル３１の周面が露出している。
【００３４】
図９は複写機１０を前面扉１１を一部破断して前面側から示す図であり、図９に実線矢印で示すように、ダイヤル３１を回転させると、それによって、ギア３４及び３３が回転して、ギア３３に噛み合ったラック３２、つまり、当たり部材２３が、破線矢印で示す方向にガイド部材２２に案内されて移動することになる。
【００３５】
そして、当たり部材２３が、図９に破線で示す位置にある場合と実線で示す位置にある場合とでは、マグネット２６（図９には示さず）と当たり面２３ａとが当接する面積が変化することになって、例えば、長穴２７の左端がピン部材２３ｃに当接する状態から長穴２７の右端がピン部材２３ｃに当接する状態まで、ダイヤル３１の回転に応じて当たり部材２３の位置が変化することになる。
【００３６】
上述のようにして、ダイヤル３１を回転操作するだけで、当たり面２３ａとマグネット２６とが当接する面積が変化する結果、当たり面２３ａとマグネット２６との間の吸着力を変化させることができ、ユーザ等はダイヤル３１を回転操作しつつ、当たり面２３ａとマグネット２６との間の吸着力を確認するようにすればよく、容易に吸着力を調整することができる。
【産業上の利用可能性】
【００３７】
案内機構によって当たり部材をマグネットに対して相対的に移動可能に案内し、レバー部材等の操作部によって当たり部材を案内機構に沿って移動させると、当たり面とマグネットとの当接面積が変化するから、容易にマグネットと当たり面との間の吸着力を調整することができる結果、複写機又はプリンター等の画像形成装置（特に、カラー画像形成装置）における前面扉の開閉機構に適用できる。
【図面の簡単な説明】
【００３８】
【図１】本発明の実施例１による画像形成装置を前面側（一側面側）から概略的に示す図である。
【図２】本発明の実施例１による画像形成装置を側面（他の側面側）から概略的に示す図である。
【図３】図１に示す画像形成装置をその側面側を一部破断して側面側から示す図である。
【図４】図１に示す画像形成装置を上面側を一部破断して上面側から示す図である。
【図５】図１に示す画像形成装置を前面扉を一部破断して前面側から示す図である。
【図６】図５に示す当たり部材に形成される長穴の他の例を示す図である。
【図７】本発明の実施例１による画像形成装置を上面側からみた図である。
【図８】図７に示す画像形成装置をその側面側を一部破断して側面側から示す図である。
【図９】図１に示す画像形成装置を前面扉を一部破断して前面側から示す図である。
【符号の説明】
【００３９】
１０  複写機
１１  前面扉
１２  給紙カセット
１３  原稿押えカバー部
１４  操作パネル
２０  複写機筐体
２１  ステー（支持部）
２２  ガイド部材
２３  当たり部材（マグネットキャッチ部）
２４  レバー部材
２５  マグネット支持部
２６  マグネット（永久磁石）
２４ａ，２７  長穴
３１  ダイヤル
３２  ラック
３３，３４  ギア
【図１】
2006017768.tif 000003
【図２】
2006017768.tif 000004
【図３】
2006017768.tif 000005
【図４】
2006017768.tif 000006
【図５】
2006017768.tif 000007
【図６】
2006017768.tif 000008
【図７】
2006017768.tif 000009
【図８】
2006017768.tif 000010
【図９】
2006017768.tif 000011